(57)【特許請求の範囲】
【請求項１】
トルクレンチテスタの第１の軸部材の軸端に形成されている角孔内に軸回りに回転不能に外周部が嵌合すると共に、トルクレンチの第２の軸部材の角軸が内周部に軸回り方向に回転不能に嵌合するアダプタであって、
前記角孔内に装入可能な下側支持板と、
前記角軸が貫通する孔部が形成され、前記下側支持板と離隔して対向配置した上側支持板と、
軸回り方向に間隔を有して複数配置された前記上側支持板と前記下側支持板とを隔設維持する連結ピンと、
前記上下の支持板間に軸回り方向に間隔を有して複数配置された柱状の柱状部材と、
を有し、
前記柱状部材は、外周部が前記角孔の角部に係合する山形斜面部に形成され、内周部が前記角軸の平坦面に対応した平坦面に形成されたことを特徴とするトルクレンチテスタ用アダプタ。
【発明の詳細な説明】
【０００１】
【発明の属する技術分野】
本発明は、トルクレンチテスタに設けられている測定入軸に、設定トルクを測定すべきトルクレンチの角ドライブ軸を嵌合係止させて、そのトルクレンチのトルクをトルクレンチテスタに伝達させるに使用するアダプタであって、特に該アダプタを小型構成とし、かつ製作経済性を高め、さらには、トルクレンチテスタに設けられている一定サイズの測定入力軸に対して、各種サイズのトルクレンチ角ドライブ軸を容易かつ確実に嵌合係止させることを可能とするトルクレンチテスタ用アダプタに関するものである。
【０００２】
【従来の技術】
例えばラチェット付きトルクレンチのトルク特性（トルク値）を測定（検定）するためには、例えば図１１で示すようにトルクレンチテスタ１の水平面に対して垂直方向の角孔軸心を有している測定入力軸２内に、測定すべきラチェット付きトルクレンチ３の角ドライブ軸４を嵌合させ、さらにこのラチェット付きトルクレンチ３の柄部５を、ローディングレバー６に係合されているハンドル支持体７によって測定すべきラチェット付きトルクレンチ３の水平位置を保持させて、トルクレンチテスタ測定入力軸２の軸心と、ラチェット付きトルクレンチ３の角ドライブ軸の軸心とが一致するように位置規制する。その状態でハンドル８を駆動（回動）して、ラチェット付きトルクレンチ３の柄部５に回動負荷を作用させ、このときのラチェット付きトルクレンチ３内に内装されているトグルリンクの動作時におけるトルク値の検定又は表示目盛の精度を検出するものである。
【０００３】
ところが、上記トルクレンチテスタ１に設けられている角孔形状の測定入力軸２の形状、大きさ（内径）が一定であるために、このトルクレンチテスタ１の測定入力軸２の内径に適合（マッチング）するラチェット付きトルクレンチの角ドライブ軸４の形状、大きさが自と決められてしまい、このために一機種のトルクレンチテスタ１では、角ドライブ軸の大きさが異なる複数種のラチェット付きトルクレンチのトルクチェックを行なうことが不可能であった。
【０００４】
従って従来では各種大きさの異なるラチェット付きトルクレンチのトルクチェックを行なうためには、それぞれの角ドライブ軸に適合する測定入力軸２を有する複数種のトルクレンチテスタ１を予め用意する必要があり、このために設備経済性の点で不具合があった。
【０００５】
また従来では、各種ラチェット付きトルクレンチのトルクチェックを、一機種のトルクレンチテスタによりチェックすることを可能ならしめるために、例えば図１２で示すように、トルクレンチテスタ１に設けられている測定入力軸２の角孔２Ａ内に嵌合される角軸９Ａと一体の頭部９Ｂに、トルク測定すべき所定のラチェット付きトルクレンチの角ドライブ軸が嵌合係止される嵌合係止孔９Ｃを形成してなるアダプタ９を用意し、このアダプタ９を使用することでトルク測定すべき上記ラチェット付きトルクレンチの角ドライブ軸の外径がトルクレンチテスタに設けられている測定入力軸２の内径よりも小さい場合は、上記アダプタ９を使用することでラチェット付きトルクレンチの角ドライブ軸をトルクレンチテスタの測定入力軸２に係合させることができるようにしたものがある。
【０００６】
【発明が解決しようとする課題】
ところが、このようなアダプタ９を形成する場合、その嵌合係止孔９Ｃの内径と、角軸９Ａの外径との寸法差が大であるときは、その嵌合係止孔９Ｃを角軸９Ａの軸心内部に形成することが可能であるので、敢て頭部９Ｂを設ける必要はないが、嵌合係止孔９Ｃの内径を角軸９Ａの外径よりも例えば２ｍｍ程度の差がない寸法の嵌合係止孔９Ｃを形成しようとすればその嵌合係止孔９Ｃの内径と角軸９Ａの外径との間の肉厚が１ｍｍとなり肉厚の薄いアダプタとなってしまいアダプタとしての強度不足が生じる。
【０００７】
そこでこのような場合、頭部９Ｂを角軸９Ａと一体に形成し、この頭部９Ｂの内部軸心上に嵌合係止孔９Ｃを形成することになるが、このような係止孔９Ｃを形成するための頭部９Ｂの高さＨ１を確保しなければならず、このためにアダプタ９の大きさが大きくなってその取扱いに不便を起すのみでなく、上記頭部９Ｂの高さ粗Ｈ１が大きいアダプタにあっては、該アダプタ９を、トルクレンチテスタ１の測定入力軸２とラチェット付きトルクレンチの角ドライブ軸との間に介在使用するとき、上記しているように、ラチェット付きトルクレンチ３の柄部５軸心がローディングレバー６と平行となるように位置させるための位置調整作業が余分に必要となり、またその位置調整作業を怠れば精度の高いトルク測定が不可能となる等の不具合が生じる。
【０００８】
本発明は、かかる従来の不具合に着目してなされたもので、一機種のトルクレンチテスタ測定入力軸の角孔に対して、角ドライブ軸の太さの異なる各種トルクレンチの角ドライブ軸を嵌合係止させることができるアダプタであり、しかも該アダプタは、その大型化を抑止してそのアダプタの取扱い作業性を高めると共に製作の容易性と経済性を高めることができる構成となし、さらには、アダプタとしての強度を十分に保有させて耐久性にも優れたアダプタの提供を目的とする。
【０００９】
【課題を解決するための手段】
上記目的を達成するために、本発明の構成は、トルクレンチテスタの第１の軸部材の軸端に形成されている角孔内に軸回りに回転不能に外周部が嵌合すると共に、トルクレンチの第２の軸部材の角軸が内周部に軸回り方向に回転不能に嵌合するアダプタであって、前記角孔内に装入可能な下側支持板と、前記角軸が貫通する孔部が形成され、前記下側支持板と離隔して対向配置した上側支持板と、軸回り方向に間隔を有して複数配置された前記上側支持板と前記下側支持板とを隔設維持する連結ピンと、前記上下の支持板間に軸回り方向に間隔を有して複数配置された柱状の柱状部材と、を有し、前記柱状部材は、外周部が前記角孔の角部に係合する山形斜面部に形成され、内周部が前記角軸の平坦面に対応した平坦面に形成されたことを特徴とする。
【００１０】
従ってこの請求項１に記載のアダプタによれば、小型のアダプタを構成することができ、さらにはアダプタは小型であっても十分なトルク伝達強度を有する。
【００１１】
【発明の実施の形態】
以下に本発明を図面に示す実施の形態に基づいて詳細に説明する。
【００１２】
図１乃至図３は、完成されたアダプタを示し、図４乃至図１０は、アダプタの各構成部材を示す。
【００１３】
図４乃至図１０において、１１は上側支持板であって、この上側支持板１１の中央には、例えばトルクレンチの不図示の角ドライブ軸（第２の軸部材）を挿通し得る四角の角孔１２が穿設されており、さらにその角孔１２の各辺中間位置に対応させて４個の軸加締孔１３を穿設している。
【００１４】
１４は下側支持板であって、この下側支持板１４の外形は、図２で示すトルクレンチテスタ測定入力軸（第１の軸部材）２の角孔２Ａ内に嵌入し得、かつその角孔２Ａ内底面と平行に位置される正方形に形成されており、その正方形各角部には、上記上側支持板１１に設けた軸加締孔１３と同様の軸加締孔１５が穿設されている。
【００１５】
この下側支持板１４に穿設した各軸加締孔１５の穿設位置と、下側支持板１４の中心点Ｐ′間の寸法Ｒ′は、上記上側支持板１１に穿設した各軸加締孔１３の穿設位置と、その上側支持板１１の中心点Ｐ間の寸法Ｒと等しくなるように設定している。更にこの下側支持板１１の上面中央部には段差縁１６を形成するための盛上り部１７が一体形成されている。
【００１６】
１８は、上記の上側支持板１１と下側支持板１４とを上下に隔設維持せしめるための４本の連結ピンであって、これらの連結ピン１８の上下両端は、上記の上側支持板１１及び下側支持板１４に穿設している軸加締孔１３，１５内に圧入されるように小径段部１９が形成されている。
【００１７】
２０は、上側支持板１１と下側支持板１４とを上下に隔設する４本の連結ピン１８のそれぞれに軸支される駒であって、各駒２０は、図８、図９で示すように、上下方向の起立面２１と、この起立面２１に平行して、上記の連結ピン１８が貫通される軸挿通孔２２と、起立面２１に対して４５度で傾斜する一対の背面２４とを形成してなる二等辺三角柱状に形成されている。またこの各駒２０の起立面２１とその上面Ａとでなす角部は角ドライブ軸又は他のアダプタの挿入作業を容易ならしめるための角アールＢに形成されており、また駒２０の下面Ｃとその背面Ｄとが存す角部にはアダプタを測定入力軸内へ又は他のアダプタ内への挿入作業を容易ならしめるための面取りＥに形成されている。
【００１８】
以上がアダプタを構成するに使用される構成部材であって、これらの構成部材は、精密鋳造（ロストワックス）で形成される。次にそれら構成部材によるアダプタの組付けについて説明すると、先ずは４個それぞれの駒２０の軸挿通孔２２内に、それぞれの連結ピン１８を貫通保持させ、それら連結ピン１８の下端を、下側支持板１４に穿設されているそれぞれの軸加締孔１５内に嵌入すると共に、その連結ピン１８の上端を上側支持板１１に穿設されているそれぞれの軸加締孔１３内に嵌入し、それら連結ピン１８の下端は下側支持板１４に、また連結ピン１８の上端は上側支持板１１にそれぞれ加締めることで図１乃至図３で示す如きアダプタ２３が構成される。
【００１９】
かくして構成されたアダプタ２３においては、４個の駒２０による各起立面２１で囲まれた角孔と、それら駒２０の角背面２４が協同して形成される角柱に保持され、その角柱面（背面）２４を、トルクレンチテスタに設けられている測定入力軸２の軸孔２Ａ内に嵌入保持させることができる。
【００２０】
そして、そのアダプタ２３の角孔内にはトルク測定をすべきトルクレンチの角ドライブ軸を挿入すればそのトルクレンチ角ドライブ軸を、上記アダプタ２３を介してトルクレンチテスタの測定入力軸の軸孔２Ａ内〜回転方向へ結合させることができる。
【００２１】
勿論トルクレンチ角ドライブ軸の軸径（外径）と、トルクレンチテスタの測定入力軸軸孔の内径は様々であるので、それら軸径及び内径に適合し得る各種サイズのアダプタ２３を、予め準備しておく必要があり、またトルクレンチテスタの測定入力軸軸孔の内径と、測定すべきトルクレンチ角ドライブ軸の軸径との寸法差が大きい場合には、同一構成の大小異なる複数のアダプタ２３を組合わせ使用、つまり大型のアダプタの角孔内に、その角孔内に嵌合保持される小型のアダプタを組合わせることで、測定すべきトルクレンチドライブ軸の軸径が小さいものであっても、同一のトルクレンチテスタでトルク測定を容易に行うことができる。
【００２２】
また上記構成のアダプタ２３にあっては、そのアダプタを構成している各駒２０が各連結ピン１８により、図３で示すように連結ピン１８を軸としてやや回動可能に軸支されており、（各駒の下端部は、図２、図３で示すように、下側支持板１４に形成されている段差縁１６によって各駒の大幅な回動は規制されている。）このために、上記アダプタ２３を使用するトルクレンチのトルク測定時において、各駒２０の起立面２１と、トルクレンチの角ドライブ軸とが面接触されるために受圧か面方向へ分散させることができる。従って上記アダプタ構成部材が比較的安価である精密鋳造（ロストワックス）であっても耐久性に優れたアダプタとすることができる。
【００２３】
【発明の効果】
以上述べたように、本発明によれば、このアダプタを、トルクレンチテスタに設けられている測定軸に嵌合使用するとき、その測定軸の表面（上面）より突出するアダプタ部分を、上側支持板の肉厚寸法内とすることができるので、小型のアダプタ構成とすることができる。
【００２４】
またトルクレンチテスタの測定軸とトルクレンチの角ドライブ軸との間に本発明のアダプタを介在させる場合は、その測定軸と角ドライブ軸との間での受圧、形態が面で受ける形態となって受圧応力が面方向へ分散されるために、集中応力が加わりにくくなり従って小型であるアダプタであっても耐久性に優れたものとなる。
【００２５】
さらには、アダプタの構成部材を比較安価である精密鋳造が製作することができ、またその構成が簡素化されていることで、生産性と経済性に優れたアダプタの提供が可能となる。
【図面の簡単な説明】
【図１】本発明よりなるアダプタの実施の形態を示す平面図。
【図２】図１におけるイ−イ線断面図。
【図３】図２におけるローロ線断面図。
【図４】本発明のアダプタ構成部品である上側支持板の平面図。
【図５】本発明のアダプタ構成部品である上側支持板の断面図。
【図６】本発明のアダプタ構成部品である下側支持板の平面図。
【図７】本発明のアダプタ構成部品である下側支持板の断面図。
【図８】本発明のアダプタ構成部品である駒の平面図。
【図９】本発明のアダプタ構成部品である駒の縦断面図。
【図１０】本発明のアダプタ構成部品である連結ピンの側面図。
【図１１】トルクレンチテスタによるトルクレンチのトルク測定時の説明図。
【図１２】従来のアダプタの構成を示す説明図。
【符号の説明】
１１  上側支持板
１２  角孔
１３  軸加締孔
１４  下側支持板
１５  軸加締孔
１６  段差縁
１７  盛上り部
１８  連結ピン
１９  小径段部
２０  駒
２１  起立面
２２  軸挿通孔
２３  アダプタ
２４  背面
５  柄部５
６  ローディングレバー
７  ハンドル支持体
８  ハンドル
９  アダプタ
１  トルクレンチテスタ
２  測定入力軸
３  トルクレンチ
４  ドライブ軸
５  柄部
６  ローディングレバー
７  ハンドル支持体
８  ハンドル
９  アダプタ
【図１】
0004764544.tif 000002
【図２】
0004764544.tif 000003
【図３】
0004764544.tif 000004
【図４】
0004764544.tif 000005
【図５】
0004764544.tif 000006
【図６】
0004764544.tif 000007
【図７】
0004764544.tif 000008
【図８】
0004764544.tif 000009
【図９】
0004764544.tif 000010
【図１０】
0004764544.tif 000011
【図１１】
0004764544.tif 000012
【図１２】
0004764544.tif 000013